(57)【要約】【課題】電子部品の固定作業性を向上させることが可能な電子部品の固定構造を提供する。【解決手段】このインターロックスイッチ１０（電子部品）の固定構造は、インターロックスイッチ１０と、板金製の固定部材１２と、を備える。固定部材１２は、インターロックスイッチ１０が載置される載置面１２ａと、２つの第１挿入片１２ｂおよび第２挿入片１２ｃと、を有する。インターロックスイッチ１０は、第１挿入片１２ｂおよび第２挿入片１２ｃがそれぞれ挿入される挿入穴１０ｄおよび１０ｅを有する。第１挿入片１２ｂは、先端部が折り曲げられることによって、先端部と載置面１２ａとによりインターロックスイッチ１０を挟み込む。【選択図】図６
2014195919.tif 000002
【特許請求の範囲】
【請求項１】
電子部品と、
前記電子部品が固定される板金製の固定部材と、
を備え、
前記固定部材は、前記電子部品が載置される載置面と、前記載置面に対して略垂直に折り曲げられた２つの挿入片と、を有し、
前記電子部品は、前記２つの挿入片がそれぞれ挿入される２つの挿入穴を有し、
前記２つの挿入片の少なくとも一方は、前記挿入穴を貫通した状態で先端部が折り曲げられることによって、折り曲げられた前記挿入片の先端部と前記載置面とにより前記電子部品を挟み込むことを特徴とする電子部品の固定構造。
【請求項２】
前記電子部品は、装置本体に設けられるカバー部材の開閉動作を検知する開閉検知スイッチであることを特徴とする請求項１に記載の電子部品の固定構造。
【請求項３】
前記電子部品は、前記挿入穴が形成される本体部と、前記本体部から突出する突起部と、前記カバー部材に押圧されることにより前記突起部を押圧するアクチュエーター部と、を有し、
前記２つの挿入片は、前記挿入穴を貫通した状態で先端部が折り曲げられる第１挿入片と、前記第１挿入片よりも短く形成されるとともに、前記挿入穴を貫通しない第２挿入片とで構成され、
前記第１挿入片は、前記第２挿入片に比べて、前記突起部と前記アクチュエーター部との接点に近い位置に配置されることを特徴とする請求項２に記載の電子部品の固定構造。
【請求項４】
前記装置本体の内部に設けられ、前記電子部品の前記カバー部材側を覆うインナーカバー部材を備え、
前記インナーカバー部材のうちの前記電子部品のアクチュエーター部に対向する部分には、前記カバー部材の一部が通過可能な開口部が形成されていることを特徴とする請求項２または３に記載の電子部品の固定構造。
【請求項５】
板金製の装置本体フレームを備え、
前記固定部材は、前記装置本体フレームよりも小さい厚みを有するとともに、前記装置本体フレームに固定されることを特徴とする請求項１〜４のいずれか１項に記載の電子部品の固定構造。
【請求項６】
前記２つの挿入片の少なくとも一方は、くびれ部を有するとともに、前記挿入穴を貫通した状態で前記くびれ部でさらに折り曲げられることを特徴とする請求項１〜５のいずれか１項に記載の電子部品の固定構造。
【請求項７】
前記２つの挿入片は、前記固定部材の一部を前記載置面に対して略垂直に折り曲げて形成されており、前記各挿入片の厚み方向が互いに略直交するように配置されていることを特徴とする請求項１〜６のいずれか１項に記載の電子部品の固定構造。
【請求項８】
請求項１〜７のいずれか１項に記載の電子部品の固定構造を備えた画像形成装置。
【発明の詳細な説明】
【技術分野】
【０００１】
本発明は、電子部品の固定構造およびそれを備えた画像形成装置に関し、特に、電子部品と電子部品が固定される固定部材とを含む電子部品の固定構造およびそれを備えた画像形成装置に関する。
【背景技術】
【０００２】
従来、装置本体内部の部品交換等のメンテナンスを行うために、開閉可能なカバー部材を備えた画像形成装置が知られている。このような画像形成装置では、メンテナンスを安全に行うために、カバー部材の開閉動作を検知する開閉検知スイッチ（電子部品）が設けられる。通常、開閉検知スイッチは、２つのネジ止め穴を有しており、装置本体側に２箇所でネジ止めされる。開閉検知スイッチは、カバー部材の開閉動作に伴ってオンオフするように構成されており、カバー部材の開動作によりオンされ装置本体の駆動を停止する。
【０００３】
なお、開閉検知スイッチが２箇所でネジ止めされる画像形成装置は、例えば特許文献１に開示されている。
【先行技術文献】
【特許文献】
【０００４】
【特許文献１】特開２００４−１０６３４２号公報
【発明の概要】
【発明が解決しようとする課題】
【０００５】
しかしながら、従来の画像形成装置および特許文献１に記載の構造では、開閉検知スイッチ（電子部品）を固定するために２箇所でネジ止めを行うので、開閉検知スイッチの固定に時間がかかるという問題点がある。
【０００６】
本発明は、上記のような課題を解決するためになされたものであり、本発明の目的は、電子部品の固定作業性を向上させることが可能な電子部品の固定構造およびそれを備えた画像形成装置を提供することである。
【課題を解決するための手段】
【０００７】
上記目的を達成するために、本発明の電子部品の固定構造は、電子部品と、電子部品が固定される板金製の固定部材と、を備え、固定部材は、電子部品が載置される載置面と、載置面に対して略垂直に折り曲げられた２つの挿入片と、を有し、電子部品は、２つの挿入片がそれぞれ挿入される２つの挿入穴を有し、２つの挿入片の少なくとも一方は、挿入穴を貫通した状態で先端部が折り曲げられることによって、折り曲げられた挿入片の先端部と載置面とにより電子部品を挟み込む。
【発明の効果】
【０００８】
本発明によれば、固定部材は２つの挿入片を有し、電子部品は２つの挿入片がそれぞれ挿入される２つの挿入穴を有する。これにより、電子部品の２つの挿入穴に固定部材の２つの挿入片をそれぞれ挿入することにより、電子部品を載置面と平行な方向に位置決めすることができる。そして、２つの挿入片の少なくとも一方は、挿入穴を貫通した状態で先端部が折り曲げられることによって、折り曲げられた前記挿入片の先端部と載置面とにより電子部品を挟み込む。これにより、電子部品を載置面に対して垂直な方向に位置決めすることができる。このように、固定部材の挿入片を電子部品の挿入穴に挿入した後に折り曲げるだけで、電子部品を固定部材に固定することができるので、電子部品の固定作業性を向上させることができる。
【０００９】
また、折り曲げた挿入片の先端部を元に戻すことにより、容易に、電子部品を固定部材から取り外すことができるので、電子部品の交換作業性を向上させることができる。
【図面の簡単な説明】
【００１０】
【図１】本発明の一実施形態の画像形成装置の構造を示した斜視図である。
【図２】本発明の一実施形態の画像形成装置のインターロックスイッチ周辺の構造を示した斜視図である。
【図３】本発明の一実施形態の画像形成装置のインターロックスイッチ周辺の構造を示した斜視図である。
【図４】本発明の一実施形態の画像形成装置のインナーカバー部材を取り外した状態を示した斜視図である。
【図５】本発明の一実施形態の画像形成装置のインターロックスイッチを固定部材に固定した状態を示した斜視図である。
【図６】本発明の一実施形態の画像形成装置のインターロックスイッチを固定部材に固定する前の状態を示した斜視図である。
【図７】本発明の一実施形態の画像形成装置のインターロックスイッチの構造を示した平面図である。
【図８】本発明の画像形成装置の固定部材を装置本体フレームに取り付けた後に、インターロックスイッチを固定部材に固定する例を説明するための斜視図である。
【発明を実施するための形態】
【００１１】
以下、本発明の実施形態について図面を参照して説明する。
【００１２】
図１〜図７を参照して、本発明の一実施形態による画像形成装置１００について説明する。図１に示すように、画像形成装置１００は、装置本体１と、その上部に配設された画像読取装置２と、を備える。
【００１３】
画像読取装置２内には、コンタクトガラス２ａ上の原稿の画像情報を読み取る画像読取部が設けられている。画像読取部は、複写時に原稿を照明するスキャナーランプや原稿からの反射光の光路を変更するミラーが搭載された走査光学系、原稿からの反射光を集光して結像する集光レンズ、及び結像された画像光を電気信号に変換するＣＣＤセンサ等（いずれも図示せず）から構成されており、原稿画像を読み取って画像データに変換する。
【００１４】
画像読取装置２の正面部には、操作ボタンや表示部を有する操作パネル３が設けられている。なお、画像読取装置２の上部には、コンタクトガラス２ａ上に載置された原稿を押えるプラテン（図示せず）が開閉可能に設けられている。プラテン上には、原稿束から１枚ずつの原稿を自動的に順次コンタクトガラス２ａ上に送る自動原稿搬送装置（図示せず）が設けられていてもよい。
【００１５】
画像読取装置２と装置本体１との間には、左側面及び正面に向けて大きく開放された胴内排紙空間４が設けられている。
【００１６】
装置本体１の正面部には、用紙（記録媒体）を収納する複数（ここでは２つ）の給紙カセット５が装置本体１に対して着脱可能に設けられている。
【００１７】
装置本体１の内部には、図示しない画像形成部、定着部、用紙搬送部などが設けられている。画像形成部は、画像読取装置２により読み込んだ画像データに基づいて、供給される用紙にトナー像を転写して画像を形成するものである。画像形成部は、静電潜像を担持する感光体ドラム、感光体ドラムの表面を帯電させる帯電ユニット、原稿画像に対応する静電潜像を感光体ドラムの表面にレーザービーム等によって形成する露光ユニット、形成された静電潜像に現像剤を付着させてトナー像を形成する現像ユニット、トナー像を用紙に転写する転写ローラー、感光体ドラム表面の残留トナーを除去するクリーニングブレード等を含んでいる。また、定着部は、トナー像が転写された用紙を加熱及び加圧することにより、用紙上にトナー像を定着させる。用紙搬送部（図示せず）は装置本体１の右側面に沿って上方に向かって延びており、給紙カセット５から画像形成部に用紙を搬送する。
【００１８】
また、装置本体１の内部の右側下部には、給紙カセット５から用紙を送り出し、上方に配置された用紙搬送部（図示せず）に用紙を搬送する給紙部（図示せず）が設けられている。また、装置本体１の右側面には、用紙搬送部の右側を覆う右側カバー部材８が、前面には前側カバー部材（カバー部材）９が開閉可能に設けられている。
【００１９】
右側カバー部材８は、その下部に設けられた支点を中心として揺動可能に構成されており、右側カバー部材８を開くことにより、給紙部や用紙搬送部のジャム処理等を行うことが可能である。同様に、前側カバー部材９は、その下部に設けられた支点を中心として揺動可能に構成されており、前側カバー部材９を開くことにより、装置本体１内部の部品交換等のメンテナンスやトナーコンテナの交換等を行うことが可能である。
【００２０】
装置本体１には図２〜図４に示すように、前側カバー部材９の開閉動作を検知する開閉検知スイッチであるインターロックスイッチ（電子部品）１０およびプッシュスイッチ１１が設けられている。インターロックスイッチ１０は、前側カバー部材９の開閉動作に伴ってオンオフするように構成されており、前側カバー部材９の開動作によりオンされて装置本体１の駆動を停止する安全装置として機能する。
【００２１】
インターロックスイッチ１０は図５および図６に示すように、本体部１０ａと、本体部１０ａから突出する突起部１０ｂ（図７参照）と、アクチュエーター部１０ｃと、を有する。突起部１０ｂは図７に示すように、本体部１０ａから前側（前側カバー部材９側）に突出している。アクチュエーター部１０ｃは、本体部１０ａから右側に突出して約９０°折り曲げられることにより、突起部１０ｂに所定の間隔を隔てて配置される。そして、アクチュエーター部１０ｃは、前側カバー部材９に押圧されることにより、突起部１０ｂを押圧する。これにより、インターロックスイッチ１０は、前側カバー部材９の開閉動作を検知して、検知結果を装置本体１の制御部（図示せず）に送信する。
【００２２】
また、インターロックスイッチ１０は図４に示すように、板金製の固定部材１２に固定された状態で装置本体１に取り付けられている。具体的には、インターロックスイッチ１０の本体部１０ａには図６に示すように、２つの挿入穴１０ｄおよび１０ｅが形成されている。固定部材１２は、インターロックスイッチ１０が載置される載置面１２ａと、載置面１２ａに対して略垂直に折り曲げられた２つの第１挿入片１２ｂおよび第２挿入片１２ｃと、を有する。２つの第１挿入片１２ｂおよび第２挿入片１２ｃは、インターロックスイッチ１０の２つの挿入穴１０ｄおよび１０ｅにそれぞれ挿入される。
【００２３】
第１挿入片１２ｂは図５および図６に示すように、第２挿入片１２ｃよりも長く形成されており、挿入穴１０ｄを貫通している。第１挿入片１２ｂは、挿入穴１０ｄを貫通した状態で先端部が折り曲げられている。具体的には、第１挿入片１２ｂの所定の位置には、くびれ部が形成されており、第１挿入片１２ｂは、挿入穴１０ｄを貫通した状態でくびれ部でさらに折り曲げられることによって、第１挿入片１２ｂの先端部と載置面１２ａとによりインターロックスイッチ１０を挟み込んでいる。一方、第２挿入片１２ｃは挿入穴１０ｅを貫通していない。
【００２４】
第１挿入片１２ｂは、第２挿入片１２ｃに比べて、突起部１０ｂ（図７参照）とアクチュエーター部１０ｃとの接点に近い位置に配置されている。また、２つの第１挿入片１２ｂおよび第２挿入片１２ｃは、載置面１２ａに対して折り曲げられる前の状態では、互いに略直交する方向に延びるように形成されている。このため、２つの第１挿入片１２ｂおよび第２挿入片１２ｃは、載置面１２ａに対して略垂直に折り曲げられた状態（図６の状態）で、第１挿入片１２ｂおよび第２挿入片１２ｃの厚み方向が互いに略直交するように配置される。また、第１挿入片１２ｂおよび第２挿入片１２ｃは、その幅方向が互いに略直交するように配置される。なお、図６のＡ方向は第１挿入片１２ｂの厚み方向および第２挿入片１２ｃの幅方向を示しており、Ｂ方向は第２挿入片１２ｃの厚み方向および第１挿入片１２ｂの幅方向を示している。
【００２５】
プッシュスイッチ１１は図４に示すように、前側カバー部材９の開閉動作に伴ってオンオフするように構成されている。プッシュスイッチ１１は、本体部１１ａと、本体部１１ａから突出し前側カバー部材９に押圧される突出部１１ｂと、を有する。そして、プッシュスイッチ１１は、前側カバー部材９の開閉動作を検知して、検知結果を装置本体１の制御部（図示せず）に送信する。
【００２６】
また、プッシュスイッチ１１は、固定部材１２に固定された状態で装置本体１に取り付けられている。具体的には、固定部材１２は、載置面１２ａに対して略垂直に折り曲げられプッシュスイッチ１１が固定される壁部１２ｄをさらに有する。プッシュスイッチ１１は、壁部１２ｄの開口部に挿入された状態で固定される。
【００２７】
また、固定部材１２は、インターロックスイッチ１０およびプッシュスイッチ１１が固定された状態で、装置本体１の板金製の装置本体フレーム１ａに取り付けられる。固定部材１２には図６に示すように、位置決め穴１２ｅおよびネジ穴１２ｆが１つずつ形成されており、位置決め穴１２ｅに装置本体フレーム１ａの位置決めボス（図示せず）が挿入された後、ネジ穴１２ｆが装置本体フレーム１ａにネジ止めされる。なお、固定部材１２は、装置本体フレーム１ａよりも小さい厚みに形成されている。
【００２８】
また、装置本体１内部には図３に示すように、インターロックスイッチ１０、プッシュスイッチ１１および固定部材１２等の前側（前側カバー部材９側）を覆うように、インナーカバー部材１３が設けられている。インナーカバー部材１３のうちの、インターロックスイッチ１０のアクチュエーター部１０ｃに対向する部分には、前側カバー部材９の図示しない突起部（アクチュエーター部１０ｃを押圧する部分）が通過可能な開口部１３ａが形成されている。また、インナーカバー部材１３のうちの、プッシュスイッチ１１の突出部１１ｂに対向する部分には、前側カバー部材９の図示しない突起部（突出部１１ｂを押圧する部分）が通過可能な開口部１３ｂが形成されている。
【００２９】
この画像形成装置１００では、装置本体１内部または用紙搬送部でジャムが発生した場合や、装置本体１内部の部品を交換する場合、作業者により前側カバー部材９が開けられる。このとき、インターロックスイッチ１０のアクチュエーター部１０ｃに対する前側カバー部材９の突起部の押圧が解除されることによって、インターロックスイッチ１０は、前側カバー部材９の開動作を検知して、検知結果を装置本体１の制御部（図示せず）に送信する。これにより、装置本体１の各種ローラーの駆動や画像形成動作が停止する。また、このとき、プッシュスイッチ１１の突出部１１ｂに対する前側カバー部材９の突起部の押圧が解除されることによって、プッシュスイッチ１１は、前側カバー部材９の開動作を検知して、検知結果を装置本体１の制御部（図示せず）に送信する。
【００３０】
そして、作業者により所定の作業（トナーコンテナ、部品の交換作業など）が行われた後、前側カバー部材９が閉じられる。これにより、インターロックスイッチ１０およびプッシュスイッチ１１は、前側カバー部材９の突起部により押圧されることによって、前側カバー部材９の閉動作を検知して、検知結果を装置本体１の制御部（図示せず）に送信する。
【００３１】
本実施形態では、上記のように、固定部材１２は２つの第１挿入片１２ｂおよび第２挿入片１２ｃを有し、インターロックスイッチ１０は２つの第１挿入片１２ｂおよび第２挿入片１２ｃがそれぞれ挿入される２つの挿入穴１０ｄおよび１０ｅを有する。これにより、インターロックスイッチ１０の２つの挿入穴１０ｄおよび１０ｅに固定部材１２の２つの第１挿入片１２ｂおよび第２挿入片１２ｃをそれぞれ挿入することにより、インターロックスイッチ１０を載置面１２ａと平行な方向に位置決めすることができる。そして、第１挿入片１２ｂは、挿入穴１０ｄを貫通した状態で先端部が折り曲げられることによって、第１挿入片１２ｂの先端部と載置面１２ａとによりインターロックスイッチ１０を挟み込む。これにより、インターロックスイッチ１０を載置面１２ａに対して垂直な方向に位置決めすることができる。このように、固定部材１２の第１挿入片１２ｂおよび第２挿入片１２ｃをインターロックスイッチ１０の挿入穴１０ｄおよび１０ｅに挿入した後に第１挿入片１２ｂを折り曲げるだけで、インターロックスイッチ１０を固定部材１２に固定することができるので、インターロックスイッチ１０の固定作業性を向上させることができる。なお、第１挿入片１２ｂを折り曲げるだけなので、工具も不要である。
【００３２】
また、第１挿入片１２ｂの先端部を元に戻すことにより、容易に、インターロックスイッチ１０を固定部材１２から取り外すことができるので、インターロックスイッチ１０の交換作業性を向上させることができる。
【００３３】
また、上記のように、第１挿入片１２ｂは、挿入穴１０ｄに挿入された後さらに折り曲げられ、第２挿入片１２ｃは、挿入穴１０ｅに挿入されるだけである。このため、第１挿入片１２ｂが、第２挿入片１２ｃに比べて、インターロックスイッチ１０を精度良く固定できる。そして、第１挿入片１２ｂは、第２挿入片１２ｃに比べて、突起部１０ｂとアクチュエーター部１０ｃとの接点に近い位置に配置されるので、突起部１０ｂとアクチュエーター部１０ｃとの接点をより精度良く位置決めすることができる。
【００３４】
また、上記のように、インナーカバー部材１３のうちのインターロックスイッチ１０のアクチュエーター部１０ｃに対向する部分には、前側カバー部材９の突起部が通過可能な開口部１３ａが形成されている。これにより、作業者の手などがインターロックスイッチ１０に触れるのを抑制しながら、前側カバー部材９をインターロックスイッチ１０のアクチュエーター部１０ｃに確実に接触（押圧）させることができる。同様に、インナーカバー部材１３のうちのプッシュスイッチ１１の突出部１１ｂに対向する部分には、前側カバー部材９の突起部が通過可能な開口部１３ｂが形成されている。これにより、作業者の手などがプッシュスイッチ１１に触れるのを抑制しながら、前側カバー部材９をプッシュスイッチ１１の突出部１１ｂに確実に接触（押圧）させることができる。
【００３５】
また、上記のように、固定部材１２は、装置本体フレーム１ａよりも小さい厚みを有するとともに、装置本体フレーム１ａに固定される。これにより、装置本体フレーム１ａに挿入片を設けてインターロックスイッチ１０を装置本体フレーム１ａに直接取り付ける場合に比べて、第１挿入片１２ｂを折り曲げやすくできるので、インターロックスイッチ１０の固定作業性をより向上させることができる。また、固定部材１２にインターロックスイッチ１０やその他の部品（本実施形態ではプッシュスイッチ１１）を固定した後に、まとめて装置本体フレーム１ａに取り付けることができるので、インターロックスイッチ１０等の固定作業性をより向上させることができる。
【００３６】
また、上記のように、第１挿入片１２ｂは、くびれ部を有するとともに、挿入穴１０ｄを貫通した状態でくびれ部でさらに折り曲げられる。これにより、第１挿入片１２ｂを折り曲げやすくできるので、インターロックスイッチ１０の固定作業性をより向上させることができる。
【００３７】
また、上記のように、２つの第１挿入片１２ｂおよび第２挿入片１２ｃは、載置面１２ａに対して略垂直に折り曲げられた状態で、第１挿入片１２ｂおよび第２挿入片１２ｃの厚み方向が互いに略直交するように配置されている。これにより、第１挿入片１２ｂは挿入穴１０ｄに対してＢ方向のガタツキが少なく、第２挿入片１２ｃは挿入穴１０ｅに対してＡ方向のガタツキが少なくなる。これにより、固定部材１２に対するインターロックスイッチ１０のＡ方向およびＢ方向のガタツキを抑制することができるので、インターロックスイッチ１０を固定部材１２に、より精度良く固定することができる。
【００３８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３９】
例えば、上記実施形態では、本発明をインターロックスイッチの固定構造に適用した例について示したが、本発明はこれに限らず、インターロックスイッチ（開閉検知スイッチ）以外の電子部品の固定構造にも適用可能である。
【００４０】
また、上記実施形態では、２つの挿入片を２つの挿入穴に挿入し、一方の挿入片を挿入穴に挿入した状態でさらに折り曲げた例について示したが、本発明はこれに限らない。２つの挿入片を、長く形成し、かつ挿入穴に挿入した状態でさらに折り曲げてもよい。また、固定部材に３つ以上の挿入片を設け、電子部品に３つ以上の挿入穴を設けてもよい。
【００４１】
また、上記実施形態では、インターロックスイッチ１０およびプッシュスイッチ１１を固定部材１２に固定した後に装置本体フレーム１ａに取り付けた例について示したが、本発明はこれに限らない。例えば図８に示すように、固定部材１２を装置本体フレーム１ａに取り付けた後に、インターロックスイッチ１０およびプッシュスイッチ１１を固定部材１２に固定してもよい。
【符号の説明】
【００４２】
１  装置本体
１ａ  装置本体フレーム
９  前側カバー部材（カバー部材）
１０  インターロックスイッチ（電子部品、開閉検知スイッチ）
１０ａ  本体部
１０ｂ  突起部
１０ｃ  アクチュエーター部
１０ｄ、１０ｅ  挿入穴
１２  固定部材
１２ａ  載置面
１２ｂ  第１挿入片（挿入片）
１２ｃ  第２挿入片（挿入片）
１３  インナーカバー部材
１３ａ  開口部
１００  画像形成装置
【図１】
2014195919.tif 000003
【図２】
2014195919.tif 000004
【図３】
2014195919.tif 000005
【図４】
2014195919.tif 000006
【図５】
2014195919.tif 000007
【図６】
2014195919.tif 000008
【図７】
2014195919.tif 000009
【図８】
2014195919.tif 000010